(57)【特許請求の範囲】
【請求項１】
一対の前脚と、
一対の後脚と、
前脚及び後脚を枢動可能に連結している一対の座杆と、
一対の前脚を幅方向の折り畳み可能に連結している前脚連結手段と、
一対の後脚を幅方向の折り畳み可能に連結している後脚連結手段と、
１側の後脚下端と他側の前脚上端とを枢動可能に連結し互いにＸ形状に配置されている後方レバー手段と、を有しており、
後脚の上端部が前脚の上方部分に対して相対的に移動可能となっている手段を有し、
前記後方レバー手段を折り畳む一対の案内レバーと前記後脚連結手段を折り畳む案内ベルトとにより構成される折り畳み案内手段をさらに備え、
前記案内レバーは、外端部がそれぞれ前記後方レバー手段の上方部分に枢着され、内端部が互いに枢着され、
前記案内ベルトは、上端部が前記案内レバーの内端部に取り付けられ、下端部が前記後脚連結手段に取り付けられる前後及び左右方向に折り畳み可能となっている椅子。
【請求項２】
１側の前脚下端と他側の座杆の前方部分とを枢動可能に連結し互いにＸ形状に配置されている前方レバー手段を更に有している、請求項１の前後及び左右方向に折り畳み可能となっている椅子。
【請求項３】
前脚連結手段が一対の連結杆からなり、各連結杆の１端が各前脚へ枢着され他端が互いに枢動可能に連結されており、１側の連結杆と１側の座杆及び他側の連結杆と他側の座杆を互いに枢動可能に連結している前方レバー手段を更に有している、請求項１の前後及び左右方向に折り畳み可能となっている椅子。
【請求項４】
後脚の上端部が前脚の上方部分に対して相対的に移動可能となっている手段が、前脚の上方部分に沿って滑動可能でありかつ後脚の上端部が枢着されているスライダーである請求項１〜３の何れ１に記載の前後及び左右方向に折り畳み可能となっている椅子。
【請求項５】
後脚の上端部が前脚の上方部分に対して相対的に移動可能となっている手段が、前脚の上方部分に枢着されておりかつ後脚の上端部が滑動可能となっている枢動部材である請求項１〜３の何れ１に記載の前後及び左右方向に折り畳み可能となっている椅子。
【発明の詳細な説明】
【０００１】
【発明の属する技術分野】
本発明は、軽量で持ち運び可能で折り畳み自在な椅子に関し、特に、不使用時に前後方向及び左右方向に同時にコンパクトに折り畳める椅子に関する。
【０００２】
【従来の技術】
これまで種々の折り畳み自在な椅子が発表されている。例えば、アルミパイプを使用した軽量で持ち運び可能な事務用椅子は事務所、工場、会社、会議場、学校等において広く使用されている。また、車両に容易に積載出来るような折り畳み可能なレジャー用椅子は海岸やプール、又はキャンプ場等において有効に使用されている。
【０００３】
【発明が解決しようとする課題】
このように軽量で持ち運び可能な折り畳み自在な椅子は広い分野で非常に便利に使用されている。そしてこれらの椅子は不使用時には場所を取らないようにそれらを折り畳み、倉庫その他の場所へ収納している。
【０００４】
しかるに、これまでの公知の折り畳み可能な椅子の多くは、座部を引き上げて椅子を前後方向に折り畳むものであるが、折り畳んだ椅子は自立性が無く、そのため、折り畳んだ椅子は部屋の壁その他の構造物へ寄り掛ける必要がある。このためしばしば構造物の壁綿等が傷付けられるという課題があった。
【０００５】
更に、これまでの折り畳み可能な椅子においては当該椅子を前後方向に折り込むことが出来ても、更に同時に左右方向にも折り畳むということは出来ない。そのため、折り畳んで収納する場合の容積がかなり広く要求されるという課題があった。
【０００６】
【課題を解決するための手段】
そこで本件発明においては、不使用時には、前後及び左右の両方向にコンパクトに折り畳むことが出来、更に折り畳んだ状態でも自立することが出来る折り畳み可能な椅子を提供することにより、上記課題を解消するものである。そのため、本件発明においては、一対の前脚と、一対の後脚と、前脚及び後脚を枢動可能に連結している一対の座杆と、一対の前脚を幅方向の折り畳み可能に連結している前脚連結手段と、一対の後脚を幅方向の折り畳み可能に連結している後脚連結手段と、１側の後脚下端と他側の前脚上端とを枢動可能に連結し互いにＸ形状に配置されている後方レバー手段と、を有し、後脚の上端部が前脚の上方部分に対して相対的に移動可能となっている手段を有している前後及び左右方向に折り畳み可能となっている椅子を提供する。
【０００７】
【発明の実施の形態】
以下、本件発明の実施例につき図面を参照しながら述べる。図１〜図３は本件発明の折り畳み可能な椅子１０の具体的な構成について示している。以下の説明においては、本件発明の椅子の前方又は後方から見てその構造は実質的に左右対称となっているため、必要な場合以外は、一側の構成のみについて述べる。また、そのため、前後方向からの違いがより明確になるように図２においては、図面の中心線から左側には本件発明の椅子を前方から見た構造を示し、右側には本件発明の椅子を後方から見た構造を示す。
【０００８】
本件発明にかかる椅子１０は、左右一対の前脚１１と、左右一対の後脚１２と、左右一対の座杆１３と、１側の前脚１１と他側の座杆１３とを連結しており互いにＸ状に配置されている前方レバー手段１４と、一対の前脚１１を互いに幅方向に連結している前脚連結手段１５（図２参照）と、該前脚連結手段１５と座杆１３とを連結している一対の中間レバー手段１６と、１側及び他側のそれぞれ前脚１１と後脚１２とを連結している一対の前後脚連結手段１７と、１側の後脚１２と他側の前脚１１とを連結しており互いにＸ状に配置されている後方レバー手段１８と、一対の後脚１２を互いに幅方向に連結している後脚連結手段１９（図２参照）と、折り畳み案内手段（図２参照）２０と、により構成されている。
【０００９】
左右一対の前脚１１には、その上下端部に緩衝部材２１、２２が取り付けてある。この取り付け部材は例えばゴム、コルクその他の材料により形成されており、前脚端部の変形及び滑りを防止し、更に使用者が該前脚端部に触れたときに怪我をしないように使用者を保護すると共に、椅子へ弾性を付与する機能を有している。前脚１１はほぼ直線状態をなしているが、実施例に示すように折り畳んで自立した時の椅子の容積減少を考慮してその中間部を僅かに曲げることも可能である。
【００１０】
左右一対の後脚１２には、下端部に前脚の端部と同様の機能を有する取り付け部材２３が取り付けてある。また後脚１２の上端部は、前脚１２の上方直線部分に沿って滑動するように該前脚１１を包囲しているスライダー２４へ対して、ピン２５によって枢着されている。このスライダー２４は例えば図４に示すように、前脚１１が貫通する孔２６と、後脚１２の上端部を受け入れる空所と、前記孔２６へ対して交差する方向に伸びており該空所へ後脚１２の上端部を受け入れそこに枢支ためのピン２５が貫通する孔２７と、を一体的に有しているプラスチック製品とすることが出来る。スライダー２４は図１に実線で示す拡開位置から破線で示す下方の折り畳み位置まで前脚１１に沿って移動可能となっている。
【００１１】
両側方にある一対の座杆１３は、図１において、前後方向に伸長するように配置されている。座杆１３の一方の端部即ち一端（後端）は後脚１２の中間部へピン２８により枢着されている。座杆１３の他端（先端）に近い部分には案内部材２９がピン３０によって枢支されている。案内部材２９は例えば図５に示すように、概ねＨ形状をなしており、座杆１３を受け入れる上方凹みと、前方レバー手段１４を後述のように受け入れる下方凹みと、前記ピン３０を受け入れるため上方凹みを貫通している孔３１と、下方凹みを貫通している孔３２と、を一体的に有しているプラスチック製品とすることが出来る。更に該座杆１３の中間部はピン３３によって前脚１１の中間部へ枢着されている。座杆１３がアルミニュームパイプ等から形成される場合には、座杆同士の左右の幅方向寸法を幾分でも広くしかつ組み付け作業を容易にするため該座杆の前記ピン３３が枢着されるパイプの中間部分３４を幾分平坦になるように加工することが望ましい。
【００１２】
前方レバー手段１４は、それぞれ１側（他側）の前脚１１と他側（１側）の座杆１３とを連結しており互いにＸ状に配置されている一対のレバー１４ａ、１４ｂにより構成されている。各レバー１４ａ、１４ｂの下端部は、例えば図６に示すような概ねＵ字形状を有する取り付け部材３５により取り付けられている。即ち、該Ｕ字形状取り付け部材３５はその底部に設けた孔３６及び前脚１１に設けた開口を介して伸びているピン３７によって当該前脚１１へ対して枢着されている。更に該Ｕ字形状取り付け部材３５の対向する面であって各レバー１４ａ、１４ｂの下端部を挟持している面には孔３８が設けてあり、これらの孔３８を介して伸びているピンによって各レバー１４ａ、１４ｂの下端部が、該取り付け部材３５を介して前脚１１へ枢着されている。一方、各レバー１４ａ、１４ｂの上端部は、案内部材２９の下方凹みへ孔３２（図５）を介して貫通しているピンによって座杆１３へ対して枢着されている。また、各レバー１４ａ、１４ｂがパイプ材料によって構成されている場合にはその中間部が互いに押し潰されかつ互いにピン３９により枢支されている。
【００１３】
前脚連結手段１５（図２参照）は、両側の前脚１１を互いに幅方向に連結している一対の連結杆１５ａ、１５ｂから構成されている。各連結杆１５ａ、１５ｂの外側端部は、ピン４０によって、前脚１１へ枢着されている図６に示すと概ね同様の形状を有する取り付け部材によって該前脚１１へ対して枢支されている。更に、各連結杆１５ａ、１５ｂの内側端部は、例えば図７に示すようなトンネル形状の連接部材４１によって互いに連接されている。即ち、連接部材４１の両端部には各連結杆１５ａ、１５ｂの内側端部を受け入れそこへそれぞれピンによって枢支するための孔４２、４３が設けてある。こうして該一対の連結杆１５ａ、１５ｂの内側端部は上方へは回転出来ないが下方へは自由に回転出来るように取り付けてある。勿論この連接部材４１は、例えば先に同一出願人が開示した特願平９−２８０２５３号、同１０−１６３３０１号、同１０−１６３３０２号、同１０−２８９０５７号等に開示したと同様の部材によって代替出来ることは当業者に明らかなところである。
【００１４】
中間レバー手段１６は、それぞれ、１側（他側）の連結杆１５ａ（１５ｂ）の中間部と、他側（１側）の座杆１３のピン２８と３３との間の位置と、に枢着されている一対の互いに交差しているレバー部材１６ａ、１６ｂにより構成されている。このレバー部材は、折り畳み時に連結杆１５ａ、１５ｂを折り畳むための機能と、幅方向の補強の機能とを提供しているものであり、前者の機能は連結杆１５ａ、１５ｂの長さを予め特定することにより、また後者の機能は前方レバー手段１４及び後述する後方レバー手段１８によって十分達成することが出来るので、該中間レバー手段１６は削除することも出来る。尚、この中間レバー手段１６においては、レバー部材１６ａ、１６ｂの交差部を枢着することはしない。これらのレバー部材は針金材料によって構成されることが出来る。
【００１５】
１側又は他側において、それぞれ前脚１１と後脚１２とを連結している一対の前後脚連結手段１７は、それぞれ前方連結杆１７ａと後方連結杆１７ｂとにより構成されている。前方連結杆１７ａの前方端部はピン４０によって前脚１１へ枢支されている。また後方連結杆１７ｂの後方端部はピン４４によって後脚１２へ枢支されている。更に前脚連結杆１７ａの後方端部と後方連結杆１７ｂの前方端部とはピン４５によって互いに回転可能に連結されている。これらの連結杆はパイプ若しくは板状部材によって構成されることが出来る。
【００１６】
後方レバー手段１８は、互いにＸ状に配置されている一対のレバー１８ａ、１８ｂにより構成されている。各レバー１８ａ、１８ｂは上端部がそれぞれ１側（他側）の前脚１１の上方部分へ、下端部がそれぞれ他側（１側）の後脚１２の下方部分へ、例えば、図６に示すと同様の取り付け部材４６、４７を介して枢着されている。更にこれらのレバー１８ａ、１８ｂの中間付近であって互いに交差する部分はピン４８によって枢支されている。尚、レバー１８ａ、１８ｂがパイプ材料によって構成されている場合には、望ましくは図２に示すように、互いに交差する中間部を平坦に変形してピン４８で枢支されている交差部が面接触をするようにし、これにより該レバーの上下端部の取り付け位置が両側の前脚及び後脚において実質的に同一位置となるようにしている。
【００１７】
後脚連結手段１９（図２参照）は一対の後脚１２を互いに幅方向に連結している連結杆１９ａ、１９ｂにより構成されている。連結杆１９ａ、１９ｂの外方端は各後脚１２へ対してピン４９によって枢着されている。このピン４９は好ましくは、取り付け部材４７を後脚１２へ枢支しているピンとすることが出来る。また連結杆１９ａ、１９ｂの内方端は互いにピン５０によって枢支されている。このとき、連結杆１９ａ、１９ｂの内方端は前脚連結手段１５と同様に、図７に示すような連結部材によって連結することも可能である。
【００１８】
更に折り畳み案内手段（図２参照）２０は、外端部がそれぞれ後方レバー手段１８のレバー１８ａ、１８ｂへピン５１、５２によって枢着され、内端部が互いにピン５３によって枢着されている一対の案内レバー２０ａ、２０ｂと、上端部が図８に示すような樹脂製止具５５によって該案内レバー２０ａ、２０ｂの内端部へ前記ピン５３によって取り付けられ下端部が図９に示すような同様に樹脂製止具５６によって後脚連結手段１９の連結杆１９ａ、１９ｂの内端部へ前記ピン５０によってそれぞれ取り付けてある案内ベルト５４と、により構成されている。案内ベルト５４は例えば布又は合成樹脂により形成される。前記止具５５は案内レバー２０ａ、２０ｂの内端部を受け入れる溝部５７と、ピン５３を受け入れる孔５８と、該折り畳み案内手段２０を操作するフランジ状の操作片５９と、を一体的に有している。又、前記止具５６は連結杆１９ａ、１９ｂの内端部を受け入れる溝部６０と、ピン５０を受け入れる孔６１と、該折り畳み案内手段２０の案内ベルト５４の下端部を受け入れるベルト受け入れ部６２と、を一体的に有している。勿論、ベルト５４はこれ以外の方法によっても取付けることができる。
【００１９】
本件発明の折り畳み可能な椅子１０では、左右の一対の座杆１３には、椅子使用者が着座するための座部（図示なし）が折り畳み可能な布製又は樹脂製の材料によって構成されている。同様に、左右の一対の前脚１１の上方部分には、椅子使用者が着座したときに背中をもたれるための背当部（図示なし）が折り畳み可能な布製又は樹脂製の材料によって構成されている。
【００２０】
しかして、図１に示す拡開位置においては、図２に示すように、折り畳み案内手段２０の案内レバー２０ａ、２０ｂが、それらの内方端部を互いに衝接し、止具５５が当該案内レバー２０ａ、２０ｂの内端部を互いに死点を越えた位置へ配置しており、こうして椅子を安定した組立位置へ保持している。使用者は左右の座杆１３間へ設けた座部へ着座し、更に左右の前脚１１間へ形成した背当部へ背中を当てて休むことが出来る。この場合、使用者の荷重は、座杆１３から前脚１１、後脚１２、前方レバー手段１４、前脚連結手段１５、前後脚連結手段１７、後方レバー手段１８、後脚連結手段１９を介して床面又は地面へ逃がされる。ここで、前後脚連結手段１７は前脚１１と後脚１２とが前後方向へ広がるのを制限している。更に、Ｘ状に配置されている前方レバー手段１４及び後方レバー手段１８は椅子の横揺れを防止している。また前脚連結手段１５及び後脚連結手段１９は前脚１１と後脚１２とが左右方向へ広がるのを制限している。こうして、本件発明の椅子は、全く揺れをない安定した椅子を提供する。
【００２１】
不使用時に当該椅子を折り畳むためには、初めに止具５５の操作片５９を上方へ持ち上げる。これにより折り畳み案内手段２０を構成している案内レバー２０ａ、２０ｂの内端部が上方へ移動する。同時に後脚連結手段１９の中央部が案内ベルト５４によって上方へ引き上げられる。このため後方レバー手段１８の作用により左右の後脚１２が互いに接近する。同時に左右の前脚１１も互いに接近する。これに伴い、前方レバー手段１４の作用により座杆１３がピン２８の回りに回転し該座杆１３の前方端部が上方へ持ち上げられる。ついで後脚１２の上端部へ取り付けたスライダー２４が前脚１１に沿ってスライドする。中間レバー手段１６が前脚連結手段１５の中間部を引き上げる。スライダー２４が前脚１１に沿って最終的に図１の破線位置までスライドする。こうして椅子１０は完全に前後方向及び幅方向に折り畳まれ、図３の位置をとる。この位置で、本件の椅子は図３に示すように極めて狭い範囲で安定した自立状態を維持する。必要に応じて、この位置を保持するためのストッパー（図示なし）を設けることが出来る。
【００２２】
一方、椅子１０を図３の折り畳み位置から図１の拡開位置まで広げるためには、単に該ストッパーを開放した後、前脚１１の上端部を把持して該前脚１１を互いに横方向に拡開する。これにより折り畳み作用と反対の作動により、スライダー２４が前脚１１に沿って上方へ移動し、椅子１０は容易に前後方向及び幅方向に同時に広がり、図１の位置を提供する。
【００２３】
図１０〜図１２は、本件発明の椅子の第２の実施例を示す。この実施例が図１〜図９に示す第１の実施例と大きく異なる点は、第１の実施例では、後脚１２の上端部が、ピン２５によってスライダー２４へ枢着され、該スライダー２４が前脚１１に沿ってスライドすることにより各部材の折り畳みを可能としているのに対して、第２の実施例では、後脚の上端部が、ピンによって前脚へ枢着された部材へ設けられた溝内を滑動することにより各部材の折り畳みを可能としているものである。即ち第１実施例においては、後脚がピン連結されているスライダーが、前脚に沿って滑動するのに対して、第２実施例においては、前脚へピン連結された部材内部を後脚が滑動するものである。以下において第１の実施例と異なる点について重点的に説明する。
【００２４】
第２の実施例にかかる椅子７０は、一対の前脚７１と、一対の後脚７２と、一対の座杆７３と、左右の前脚７１を互いに幅方向に連結している前脚連結手段７４であって一対の連結杆７４ａ、７４ｂから構成されている前脚連結手段７４（図１１参照）と、１側（他側）の連結杆７４ａ（７４ｂ）と１側（他側）の座杆７３（７３）とを連結しているレバー７５ａ、７５ｂより構成されている前方レバー手段７５と、１側の後脚７２の下方部分と他側の前脚７１の上方部分とを連結しており互いにＸ状に配置されている後方レバー手段７６と、一対の後脚７２を互いに幅方向に連結している後脚連結手段７７であって一対の連結杆７７ａ、７７ｂから構成されている後脚連結手段７７（図１１参照）と、各前脚７１の上方部分へ取り付けられている背当て杆７８と、折り畳み案内手段（図１１参照）７９と、により構成されている。
【００２５】
前脚７１には、その上下端部に例えばゴム、コルクその他の材料により形成されている緩衝部材が取り付けてある。前脚７１はほぼ直線状態をなしているが、実施例に示すように折り畳んで自立した時の椅子の容積減少及び安定性を考慮してその中間部を僅かに曲げることも可能である。この前脚７１の上方位置には、枢動部材８０がピン８１によって枢着されている。該枢動部材８０は内部に長い滑動溝８２が形成されている樹脂成形製品とすることが出来る。滑動溝８２の断面形状は後脚７２を収容出来るような形状となっている。
【００２６】
後脚７２には、下端部に前脚の端部と同様の取り付け部材が取り付けてある。後脚７２の上端部は、前記枢動部材８０の滑動溝８２内に収容されている。
両側方にある一対の座杆７３は、図１０において、前後方向に伸長するように配置されている。座杆７３の一方の端部即ち一端（後端）は後脚７２の中間部へピン８３により枢着されている。座杆７３の中間部分はピン８４によって前脚７１の中間部へ枢着されている。
【００２７】
前脚連結手段７４（図１１参照）は、両側の前脚７１を互いに幅方向に連結している一対の連結杆７４ａ、７４ｂから構成されている。各連結杆７４ａ、７４ｂの外側端部は、第１実施例と同様に、前脚７１へ枢着されている。更に、各連結杆７４ａ、７４ｂの内側端部は、第１実施例と同様の手段によって、互いに連接されている。
【００２８】
前方レバー手段７５は、それぞれ、下端部を１側（他側）の連結杆７４ａ（７４ｂ）の中間部と、上端部を１側（他側）の座杆７３のピン８３と８４との間の位置と、に枢着されている一対のレバー部材７５ａ、７５ｂにより構成されている。この前方レバー手段７５は、折り畳み時に連結杆７４ａ、７４ｂを折り畳むための機能と、幅方向の補強の機能と、前脚と後脚との広がり防止機能と、を提供しているものである。これらのレバー部材は針金材料によって構成されることが出来る。
【００２９】
後方レバー手段７６は、互いにＸ状に配置されている一対のレバー７６ａ、７６ｂにより構成されている。各レバー７６ａ、７６ｂは上端部がそれぞれ１側（他側）の前脚７１の上方部分へ、下端部がそれぞれ他側（１側）の後脚７２の下方部分へ、第１実施例に示したと同様の手段によって枢着されている。更にこれらのレバー７６ａ、７６ｂの中間付近であって互いに交差する部分はピン８５によって枢支されている。尚、レバー７６ａ、７６ｂがパイプ材料によって構成されている場合には、望ましくは図１１に示すように、互いに交差する中間部を平坦に変形してピン８５で枢支されている交差部が面接触をするようにし、これにより該レバーの上下端部の取り付け位置が両側の前脚及び後脚において実質的に同一位置となるようにすることは前述と同様である。
【００３０】
後脚連結手段７７（図１１参照）は一対の後脚７２を互いに幅方向に連結している連結杆７７ａ、７７ｂにより構成されている。連結杆７７ａ、７７ｂの外方端は各後脚７２へ対して枢着されている。また連結杆７７ａ、７７ｂの内方端は互いにピン８６によって枢支されている。
【００３１】
また背当て杆７８は止め金によって前脚の上方部分へ固定されている。しかし、この背当て杆７８は、前脚７１を幾分長く形成することによって、不要とすることも可能である。
【００３２】
折り畳み案内手段（図１１参照）７９は、第１実施例においては詳述したものと実質的に同一であるので詳述しない。
本件発明の折り畳み可能な椅子７０では、左右の一対の座杆７３には、椅子使用者が着座するための座部（図示なし）が折り畳み可能な布製又は樹脂製の材料によって構成されている。同様に、左右の一対の背当て杆７８には、椅子使用者が着座したときに背中をもたれるための背当部（図示なし）が折り畳み可能な布製又は樹脂製の材料によって構成されている。
【００３３】
しかして、図１０に示す拡開位置においては、図１１に示すように、折り畳み案内手段７９の案内レバーが、それらの内方端部を互いに衝接し、止具が当該案内レバーの内端部を互いに死点を越えた位置へ配置しており、こうして椅子を安定した組立位置へ保持している。使用者は左右の座杆７３間へ設けた座部へ着座し、更に左右の背当て杆７８間へ形成した背当部へ背中を当てて休むことが出来る。この場合、使用者の荷重は、座杆７３から前脚７１、後脚７２、前脚連結手段７４、前方レバー手段７５、後方レバー手段７６、後脚連結手段７７を介して床面又は地面へ逃がされる。ここで、前方レバー手段７５は前脚７１と後脚７２とが前後方向へ広がるのを制限している。更に、該前方レバー手段７５とＸ状に配置されている後方レバー手段７６は椅子の横揺れを防止している。また前脚連結手段７４及び後脚連結手段７７は前脚７１と後脚７２とが左右方向へ広がるのを制限している。こうして、本件発明の椅子は、全く揺れをない安定した椅子を提供する。
【００３４】
不使用時に当該椅子を折り畳むためには、初めに止具の操作片を上方へ持ち上げる。これにより折り畳み案内手段７９を構成している案内レバーの内端部が上方へ移動する。同時に後脚連結手段７７の中央部が案内ベルトによって上方へ引き上げられる。このため後方レバー手段７６の作用により左右の後脚７２が互いに接近する。同時に左右の前脚７１も互いに接近する。これに伴い、前方レバー手段７５の作用により座杆７３がピン８３の回りに回転し該座杆７３の前方端部が上方へ持ち上げられる。ついで後脚７２の上端部が枢動部材８０の滑動溝８２内をスライドする。前方レバー手段７５が前脚連結手段７４の中間部を引き上げる。後脚７２の上端部が枢動部材８０の滑動溝８２内を下方に移動し、最終的に図１２の破線位置まで移動する。こうして椅子７０は完全に前後方向及び幅方向に折り畳まれ、図１２の位置をとる。この位置で、本件の椅子は図１２に示すように極めて狭い範囲で安定した自立状態を維持する。必要に応じて、この位置を保持するためのストッパー（図示なし）を設けることが出来る。
【００３５】
一方、椅子７０を図１２の折り畳み位置から図１０の拡開位置まで広げるためには、単に該ストッパーを開放した後、前脚７１若しくは背当て杆７８の上端部を把持してこれを互いに横方向に拡開する。これにより折り畳み作用と反対の作動により、後脚７２の上端部が枢動部材８０の滑動溝８２に沿って上方へ移動し、椅子７０は容易に前後方向及び幅方向に同時に広がり、図１０の位置を提供することが出来る。
【００３６】
本件発明において、第２実施例に記載の構造を第１実施例に記載の構造と比較した場合に、第２実施例においては、第１実施例に記載のＸ形状の前方レバー手段１４及び前後脚連結手段１７が削除され、さらに、前方レバー手段７５の取り付け方がＸ形状をなしていない点が異なっている。このため、第２実施例の椅子７０は、第１実施例の椅子１０に比較して部品点数が少なく、幾分安価に製造出来るが、多少安定性に欠ける。しかし、実際の使用上においては安定性の点においてさほど多きな差異はない。即ち、両者の違いは、単に、折り畳む際に、後脚が前脚に沿って移動するスライダーへ枢着されているか、後脚が前脚に枢着した枢動部材内を滑動するかの違いである。このため、もし望まれるなら、両実施例において、スライド若しくは滑動する構造を除き、他の構造を同一にしても同様の機能が得られることは当業者に明らかである。
【００３７】
【発明の効果】
本件発明においては、前後左右何れの方向にも安定した構造を有する椅子であって、不使用時には、前後及び左右の両方向にコンパクトに折り畳むことが出来、更に折り畳んだ状態で自立することが出来る折り畳み可能な椅子を提供することが出来る。
【図面の簡単な説明】
【図１】本件発明の第１実施例を示す折り畳み可能な椅子の拡開時の側面図である。
【図２】左半分が図１に示す椅子を前方から見た正面図であり、右半分が図１に示す椅子を後方から見た正面図である。
【図３】本件発明の第１実施例を示す折り畳み可能な椅子の折込時の側面図である。
【図４】図１に示す椅子に使用されるスライダーを示す斜視図である。
【図５】図１に示す椅子に使用される案内部材を示す斜視図である。
【図６】図１に示す椅子に使用される取り付け部材を示す斜視図である。
【図７】図１に示す椅子に使用される連結部材を示す斜視図である。
【図８】図１に示す椅子に使用される上方の止具を示す斜視図である。
【図９】図１に示す椅子に使用される下方の止具を示す斜視図である。
【図１０】本件発明の第２実施例を示す折り畳み可能な椅子の拡開時の側面図である。
【図１１】左半分が図１０に示す椅子を前方から見た正面図であり、右半分が図１０に示す椅子を後方から見た正面図である。
【図１２】本件発明の第２実施例を示す折り畳み可能な椅子の折込時の側面図である。
【符号の説明】
１０：椅子                      １１：前脚
１２：後脚                      １３：座杆
１４：前方レバー手段            １５：前脚連結手段
１６：中間レバー手段            １７：前後脚連結手段
１８：後方レバー手段            １９：後脚連結手段
２０：折り畳み案内手段          ２４：スライダー
２９：案内部材                  ３５：取り付け部材
４１：連接部材                  ５４：案内ベルト
５５、５６：止具                ５７：溝部
５９：操作片                    ６０：溝部
６２：受入れ部                  ７０：椅子
７１：前脚                      ７２：後脚
７３：座杆                      ７４：前脚連結手段
７５：前方レバー手段            ７６：後方レバー手段
７７：後脚連結手段              ７８：背当て杆
７９：折り畳み案内手段          ８０：枢動部材
８２：滑動溝
【図１】
0004471422.tif 000002
【図２】
0004471422.tif 000003
【図３】
0004471422.tif 000004
【図４】
0004471422.tif 000005
【図５】
0004471422.tif 000006
【図６】
0004471422.tif 000007
【図７】
0004471422.tif 000008
【図８】
0004471422.tif 000009
【図９】
0004471422.tif 000010
【図１０】
0004471422.tif 000011
【図１１】
0004471422.tif 000012
【図１２】
0004471422.tif 000013